(57)【要約】【課題】着用者の足長のバラツキに対応可能な、いわゆるサイズフリーの靴下を提供する。【解決手段】編成軸線に沿いつつ丸編み又は横編みによって編成される靴下１は、筒状のレッグ部Ｌと、筒状のソール部Ｓと、これらレッグ部とソール部との間のヒール部Ｈと、を備える。ヒール部は、編成軸線Ｋに沿って配置された複数の目数変化領域Ｖ１，Ｖ２，Ｖ３，Ｖ４，Ｖ５，Ｖ６と、これら目数変化領域同士の間に配置された複数の筒状領域Ｃ１，Ｃ２，Ｃ３，Ｃ４，Ｃ５と、を備える。レッグ部の下縁に連結された上方目数変化領域Ｖ１のコース数ＣＶ１は、他の目数減少領域Ｖ２，Ｖ３，Ｖ４，Ｖ５，Ｖ６のコース数ＣＶ２，ＣＶ３，ＣＶ４，ＣＶ５，ＣＶ６よりも少ない。【選択図】図３
2019148020.tif 000002
【特許請求の範囲】
【請求項１】
編成軸線に沿いつつ丸編み又は横編みによって編成される靴下であって、
筒状のレッグ部と、筒状のソール部と、これらレッグ部とソール部との間のヒール部と、を備え、
前記ヒール部が、
前記編成軸線に沿って配置された複数の目数変化領域と、
これら目数変化領域同士の間に配置された複数の筒状領域と、
を備え、
前記目数変化領域が、
前記レッグ部の下縁に連結された上方目数変化領域と、
前記ソール部の上縁に連結された下方目数変化領域と、
前記上方目数変化領域と前記下方目数変化領域との間の複数の中間目数変化領域と、
を含んでおり、
前記上方目数変化領域のコース数が前記下方目数変化領域のコース数及び前記中間目数変化領域のコース数よりも少ない、
靴下。
【請求項２】
前記目数変化領域が前記編成軸線に沿って交互に配置された目数増加領域及び目数減少領域から構成される、請求項１に記載の靴下。
【請求項３】
前記上方目数変化領域が目数増加領域から構成され、前記下方目数変化領域が目数減少領域から構成される、請求項２に記載の靴下。
【請求項４】
前記目数変化領域の数が６つで前記筒状領域の数が５つであるか又は前記目数変化領域の数が８つで前記筒状領域の数が７つである、請求項１から３までのいずれか一項に記載の靴下。
【請求項５】
編成軸線に沿いつつ丸編み又は横編みによって編成される靴下であって、
筒状のレッグ部と、筒状のソール部と、これらレッグ部とソール部との間のヒール部と、を備え、
前記ヒール部が、
前記編成軸線に沿って配置された複数の目数変化領域と、
これら目数変化領域同士の間に配置された複数の筒状領域と、
を備え、
前記目数変化領域が、
前記レッグ部の下縁に連結された上方目数変化領域と、
前記ソール部の上縁に連結された下方目数変化領域と、
前記上方目数変化領域と前記下方目数変化領域との間の複数の中間目数変化領域と、
を含んでおり、
前記目数変化領域が前記編成軸線に沿って交互に配置された目数増加領域及び目数減少領域から構成される、
靴下。
【請求項６】
編成軸線に沿いつつ丸編み又は横編みによって編成される靴下であって、
筒状のレッグ部と、筒状のソール部と、これらレッグ部とソール部との間のヒール部と、を備え、
前記ヒール部が、
前記編成軸線に沿って配置された複数の目数変化領域と、
これら目数変化領域同士の間に配置された複数の筒状領域と、
を備え、
前記目数変化領域が、
前記レッグ部の下縁に連結された上方目数変化領域と、
前記ソール部の上縁に連結された下方目数変化領域と、
前記上方目数変化領域と前記下方目数変化領域との間の複数の中間目数変化領域と、
を含んでおり、
着用者の足長のバラツキに対応するために、前記目数変化領域の数が６つで前記筒状領域の数が５つであるか又は前記目数変化領域の数が８つで前記筒状領域の数が７つである、
靴下。
【発明の詳細な説明】
【技術分野】
【０００１】
本発明は靴下に関する。
【背景技術】
【０００２】
筒状の脚部と、筒状の足部と、これら脚部と足部との間の踵部と、を備え、踵部が、脚部から順次続けて形成された、目数減少領域、踵上部筒編み領域、目数増減領域、踵中央筒編み領域、目数増減領域、踵下部筒編み領域、及び、目数増加領域からなる、靴下が公知である（例えば、特許文献１参照）。特許文献１によれば、このようにすると、足の踵部分の形状に近い形状の踵部分を備えた靴下を実現することができる。
【先行技術文献】
【特許文献】
【０００３】
【特許文献１】特開２０１０−２４２２６２号公報
【発明の概要】
【発明が解決しようとする課題】
【０００４】
しかしながら、例えば、年齢、性別、人種等によって、着用者の足長ないしサイズにはバラツキがある。したがって、複数の着用者に適した靴下を提供するには、複数種類の靴下を製造する必要がある。しかしながら、このようなことは現実的でない。すなわち、着用者の足長のバラツキに対応可能な、いわゆるサイズフリーの靴下が必要とされている。しかしながら、上述の特許文献１には、このような課題が何ら開示されておらず、当然、その解決手段も開示されていない。
【課題を解決するための手段】
【０００５】
本発明の一観点によれば、編成軸線に沿いつつ丸編み又は横編みによって編成される靴下であって、筒状のレッグ部と、筒状のソール部と、これらレッグ部とソール部との間のヒール部と、を備え、前記ヒール部が、前記編成軸線に沿って配置された複数の目数変化領域と、これら目数変化領域同士の間に配置された複数の筒状領域と、を備え、前記目数変化領域が、前記レッグ部の下縁に連結された上方目数変化領域と、前記ソール部の上縁に連結された下方目数変化領域と、前記上方目数変化領域と前記下方目数変化領域との間の複数の中間目数変化領域と、を含んでおり、前記上方目数変化領域のコース数が前記下方目数変化領域のコース数及び前記中間目数変化領域のコース数よりも少ない、靴下が提供される。
【０００６】
本発明の別の観点によれば、編成軸線に沿いつつ丸編み又は横編みによって編成される靴下であって、筒状のレッグ部と、筒状のソール部と、これらレッグ部とソール部との間のヒール部と、を備え、前記ヒール部が、前記編成軸線に沿って配置された複数の目数変化領域と、これら目数変化領域同士の間に配置された複数の筒状領域と、を備え、前記目数変化領域が、前記レッグ部の下縁に連結された上方目数変化領域と、前記ソール部の上縁に連結された下方目数変化領域と、前記上方目数変化領域と前記下方目数変化領域との間の複数の中間目数変化領域と、を含んでおり、前記目数変化領域が前記編成軸線に沿って交互に配置された目数増加領域及び目数減少領域から構成される、靴下が提供される。
【０００７】
本発明の更に別の観点によれば、編成軸線に沿いつつ丸編み又は横編みによって編成される靴下であって、筒状のレッグ部と、筒状のソール部と、これらレッグ部とソール部との間のヒール部と、を備え、前記ヒール部が、前記編成軸線に沿って配置された複数の目数変化領域と、これら目数変化領域同士の間に配置された複数の筒状領域と、を備え、前記目数変化領域が、前記レッグ部の下縁に連結された上方目数変化領域と、前記ソール部の上縁に連結された下方目数変化領域と、前記上方目数変化領域と前記下方目数変化領域との間の複数の中間目数変化領域と、を含んでおり、着用者の足長のバラツキに対応するために、前記目数変化領域の数が６つで前記筒状領域の数が５つであるか又は前記目数変化領域の数が８つで前記筒状領域の数が７つである、靴下が提供される。
【発明の効果】
【０００８】
着用者の足長のバラツキに対応可能な、いわゆるサイズフリーの靴下を提供することができる。
【図面の簡単な説明】
【０００９】
【図１】靴下の平面図である。
【図２】靴下の部分展開図である。
【図３】靴下の部分拡大展開図である。
【図４】編機のシリンダの模式図である。
【図５】着用時における靴下の部分概略側面図である。
【図６】着用者の足長が種々の場合の、着用時における靴下の概略側面図である。
【図７】着用時における靴下の部分概略側面図である。
【図８】目数変化領域の別の実施例を示す、ヒール部の部分展開図である。
【発明を実施するための形態】
【００１０】
図１を参照すると、本発明による実施例の靴下１は、口ゴム部Ｒ、レッグ部又は脚部Ｌ、ヒール部又は踵部Ｈ、ソール部又は足部Ｓ、及びトウ部又は爪先部Ｔを備える。
【００１１】
この靴下１は丸編機又は横編機によって編成される。ここで、ヒール部Ｈからレッグ部Ｌに向かう方向を上方、ヒール部Ｈからソール部Ｓに向かう方向を下方と称すると、本発明による実施例では、靴下１は編成軸線に沿いつつ上方から下方に向けて、口ゴム部Ｒ、レッグ部Ｌ、ヒール部Ｈ、ソール部Ｈ、トウ部Ｔの順に、形成される。別の実施例（図示しない）では、靴下１は編成軸線に沿いつつ下方から上方に向けて編成される。
【００１２】
図２は、本発明による実施例の靴下１のヒール部Ｈ周りの展開図を、図３はその部分拡大図を、それぞれ示している。図２及び図３を参照すると、本発明による実施例のヒール部Ｈは、編成軸線Ｋに沿って配置された複数の目数変化領域Ｖ１，Ｖ２，Ｖ３，Ｖ４，Ｖ５，Ｖ６と、目数変化領域Ｖ１，Ｖ２，Ｖ３，Ｖ４，Ｖ５，Ｖ６同士の間に配置された複数の筒状領域Ｃ１，Ｃ２，Ｃ３，Ｃ４，Ｃ５と、を備える。この点、複数の目数変化領域Ｖ１，Ｖ２，Ｖ３，Ｖ４，Ｖ５，Ｖ６と複数の筒状領域Ｃ１，Ｃ２，Ｃ３，Ｃ４，Ｃ５とが交互に配置される、と考えることもできる。あるいは、複数の目数変化領域Ｖ１，Ｖ２，Ｖ３，Ｖ４，Ｖ５，Ｖ６がそれぞれ対応する筒状領域Ｃ１，Ｃ２，Ｃ３，Ｃ４，Ｃ５によって互いに離間される、と考えることもできる。
【００１３】
詳しく説明すると、本発明による実施例では、特に図３に示されるように、レッグ部Ｌの下縁ＬＬに目数変化領域Ｖ１の上縁Ｖ１Ｕが連結される。第１の目数変化領域Ｖ１の下縁Ｖ１Ｌに第１の筒状領域Ｃ１の上縁Ｃ１Ｕが連結される。第１の筒状領域Ｃ１の下縁Ｃ１Ｌに第２の目数変化領域Ｖ２の上縁Ｖ２Ｕが連結される。第２の目数変化領域Ｖ２の下縁Ｖ２Ｌに第２の筒状領域Ｃ１の上縁Ｃ２Ｕが連結される。第２の筒状領域Ｃ２の下縁Ｃ２Ｌに第３の目数変化領域Ｖ３の上縁Ｖ３Ｕが連結される。第３の目数変化領域Ｖ３の下縁Ｖ３Ｌに第３の筒状領域Ｃ３の上縁Ｃ３Ｕが連結される。第３の筒状領域Ｃ３の下縁Ｃ３Ｌに第４の目数変化領域Ｖ４の上縁Ｖ４Ｕが連結される。第４の目数変化領域Ｖ４の下縁Ｖ４Ｌに第４の筒状領域Ｃ４の上縁Ｃ４Ｕが連結される。第４の筒状領域Ｃ４の下縁Ｃ４Ｌに第５の目数変化領域Ｖ５の上縁Ｖ５Ｕが連結される。第５の目数変化領域Ｖ５の下縁Ｖ５Ｌに第５の筒状領域Ｃ５の上縁Ｃ５Ｕが連結される。第５の筒状領域Ｃ５の下縁Ｃ５Ｌに第６の目数変化領域Ｖ６の上縁Ｖ６Ｕが連結される。第６の目数変化領域Ｖ６の下縁Ｖ６Ｌにソール部Ｓの上縁ＳＵが連結される。
【００１４】
目数変化領域Ｖ１，Ｖ２，Ｖ３，Ｖ４，Ｖ５，Ｖ６は、上方から下方に向かうにつれて目数ないし幅が変化する領域である。本発明による実施例では、第１、第３、及び第５の目数変化領域Ｖ１，Ｖ３，Ｖ５は、上方から下方に向かうにつれて目数が単調増加する目数増加領域から構成される。一方、第２、第４、第６の目数変化領域Ｖ２，Ｖ４，Ｖ６は、上方から下方に向かうにつれて目数が単調増加する目数増加領域から構成される。言い換えると、本発明による実施例では、目数変化領域Ｖ１，Ｖ２，Ｖ３，Ｖ４，Ｖ５，Ｖ６は、編成軸線Ｋに沿って交互に配置された目数増加領域及び目数減少領域から構成され、レッグ部Ｌに連結された第１の目数変化領域Ｖ１は目数増加領域から構成され、ソール部Ｓに連結された第６の目数変化領域Ｖ６は目数減少領域から構成される。
【００１５】
図２及び図３において、Ａ，Ｂ，Ｃ，Ｄは、例えば図４に示されるような編機のシリンダの周方向位置を表している。本発明による実施例では、図４に破線で示されるように、シリンダがその周長の一部、例えば概ね半周にわたり正逆往復回転しながら編成することにより、目数変化領域Ｖ１，Ｖ２，Ｖ３，Ｖ４，Ｖ５，Ｖ６が形成される。この場合、目数増加領域を形成すべきときには、編成が上方から下方に進むにつれてシリンダの回転角度範囲が大きくされる。一方、目数減少領域を形成すべきときには、編成が上方から下方に進むにつれてシリンダの回転角度範囲が小さくされる。なお、本発明による実施例では、靴下１ないし目数変化領域は左右対称に形成される。
【００１６】
一方、筒状領域Ｃ１，Ｃ２，Ｃ３，Ｃ４，Ｃ５は、上方から下方に向かうにつれて目数が変化することなく、筒状をなしている。筒状領域Ｃ１，Ｃ２，Ｃ３，Ｃ４，Ｃ５は、図４に実線で示されるように、シリンダが全周にわたり正回転することにより、形成される。なお、口ゴム部Ｒ、レッグ部Ｌ、及びソール部Ｓも、筒状領域Ｃ１，Ｃ２，Ｃ３，Ｃ４，Ｃ５と同様に、筒状に形成される。
【００１７】
本発明による実施例では、第１の目数変化領域Ｖ１が編成されるときに、第１の目数変化領域Ｖ１の側縁Ｖ１Ｓがレッグ部Ｌの下縁ＬＬに編み付けられる。その結果、図５に示されるように第１のゴアラインＧ１が形成される。また、第２の筒状領域Ｃ２が編成されるときに、第２の目数変化領域Ｖ２の側縁Ｖ２Ｓが第２の筒状領域Ｃ２の上縁Ｃ２Ｕに編み付けられ、第２のゴアラインＧ２が形成される。第３の目数変化領域Ｖ３が編成されるときに、第３の目数変化領域Ｖ３の側縁Ｖ３Ｓが第２の筒状領域Ｃ２の下縁Ｃ２Ｌに編み付けられ、第３のゴアラインＧ３が形成される。第４の筒状領域Ｃ４が編成されるときに、第４の目数変化領域Ｖ４の側縁Ｖ４Ｓが第４の筒状領域Ｃ４の上縁Ｃ４Ｕに編み付けられ、第４のゴアラインＧ４が形成される。第５の目数変化領域Ｖ５が編成されるときに、第５の目数変化領域Ｖ５の側縁Ｖ５Ｓが第４の筒状領域Ｃ４の下縁Ｃ４Ｌに編み付けられ、第５のゴアラインＧ５が形成される。ソール部Ｓが編成されるときに、第６の目数変化領域Ｖ６の側縁Ｖ６Ｓがソール部Ｓの上縁ＳＵに編み付けられ、第６のゴアラインＧ６が形成される。
【００１８】
本発明による実施例では、第１の目数変化領域Ｖ１のコース数ないし高さＣＶ１は、他の目数変化領域、すなわち第２から第６の目数変化領域Ｖ２，Ｖ３，Ｖ４，Ｖ５，Ｖ６のコース数ＣＶ２，ＣＶ３，ＣＶ４，ＣＶ５，ＣＶ６よりも少ない。また、本発明による実施例では、第６の目数変化領域Ｖ６のコース数ＣＶ６は、第２から第５の目数変化領域Ｖ２，Ｖ３，Ｖ４，Ｖ５のコース数ＣＶ２，ＣＶ３，ＣＶ４，ＣＶ５よりも少ない。更に、本発明による実施例では、第２から第５の目数変化領域Ｖ２，Ｖ３，Ｖ４，Ｖ５のコース数ＣＶ２，ＣＶ３，ＣＶ４，ＣＶ５は、互いにほぼ等しい。
【００１９】
したがって、レッグ部Ｌに連結された第１の目数変化領域Ｖ１を上方目数変化領域と称し、ソール部Ｓに連結された第６の目数変化領域Ｖ６を下方目数変化領域と称し、上方目数変化領域と下方目数変化領域との間の目数変化領域Ｖ２，Ｖ３，Ｖ４，Ｖ５を中間目数変化領域と称すると、本発明による実施例では、上方目数変化領域のコース数は下方目数変化領域のコース数及び中間目数変化領域のコース数よりも少ない、ということになる。また、本発明による実施例では、上方目数変化領域及び下方目数変化領域のコース数はそれぞれ、中間目数変化領域のコース数よりも少ない。更に、本発明による実施例では、中間目数変化領域のコース数は互いにほぼ等しい。
【００２０】
一方、本発明による実施例では、第１から第５の筒状領域Ｃ１，Ｃ２，Ｃ３，Ｃ４，Ｃ５のコース数ＣＣ１，ＣＣ２，ＣＣ３，ＣＣ４，ＣＣ５は、第１から第６の目数変化領域Ｖ１，Ｖ２，Ｖ３，Ｖ４，Ｖ５，Ｖ６のコース数ＣＶ１，ＣＶ２，ＣＶ３，ＣＶ４，ＣＶ５，ＣＶ６よりも少ない。また、第１から第５の筒状領域Ｃ１，Ｃ２，Ｃ３，Ｃ４，Ｃ５のコース数ＣＣ１，ＣＣ２，ＣＣ３，ＣＣ４，ＣＣ５は互いにほぼ等しい。
【００２１】
一例では、上方目数変化領域のコース数ＣＶ１は１０であり、下方目数変化領域のコース数ＣＶ６は１４であり、中間目数変化領域のコース数ＣＶ２，ＣＶ３，ＣＶ４，ＣＶ５はそれぞれ２４であり、筒状領域のコース数ＣＣ１，ＣＣ２，ＣＣ３，ＣＣ４，ＣＣ５はそれぞれ６である。
【００２２】
このように、本発明による実施例では、ヒール部Ｈに、複数の目数変化領域Ｖ１，Ｖ２，Ｖ３，Ｖ４，Ｖ５，Ｖ６が編成軸線Ｋに沿いつつ並べて配置される。ここで、一般に、目数変化領域は、ヒール部Ｈを外向きに突出させて（立体化）、着用者の踵を少なくとも部分的に包み込む機能を有する。その結果、着用者の足長が小さいときに大きいときにも、ヒール部Ｈのいずれかの部分が、が着用者の踵を確実に包み込むことが可能となる。
【００２３】
すなわち、着用者の足長が比較的小さいときには、図６（Ａ）に示されるように、主として、靴下１のヒール部Ｈのうちソール部Ｓに近い部分が着用者の踵ＷＨを包み込む。着用者の足長が比較的大きいときには、図６（Ｂ）に示されるように、主として、靴下１のヒール部Ｈのうちレッグ部Ｌに近い部分が着用者の踵ＷＨを包み込む。着用者の足長が中程度のときには、図６（Ｃ）に示されるように、主として、靴下１のヒール部Ｈのうち編成軸線Ｋ方向の中央部分が着用者の踵ＷＨを包み込む。このようにして、着用者の足長の大小にかかわらず、靴下１が着用者の足にフィットすることが可能となる。すなわち、着用者の足長のバラツキに対応可能な、いわゆるサイズフリーの靴下１が提供される。
【００２４】
しかも、本発明による実施例では、複数の目数変化領域Ｖ１，Ｖ２，Ｖ３，Ｖ４，Ｖ５，Ｖ６が複数の筒状領域Ｃ１，Ｃ２，Ｃ３，Ｃ４，Ｃ５を介して、配置される。言い換えると、互いに隣接する２つの目数変化領域（例えば、第１の目数変化領域Ｖ１と第２の目数変化領域Ｖ２）がその間の筒状領域（例えば、第１の筒状領域Ｃ１）によって互いに連結される。その結果、互いに隣接する２つの目数変化領域が互いに他に対して、相対移動しやすくなる。このことは、ヒール部Ｈないし目数変化領域が着用者の踵の形状に追従しやすいことを意味している。したがって、着用者の足長の大小に関わらず、靴下１が着用者の踵に、確実にフィットし続けることができる。また、筒状領域Ｃ１，Ｃ２，Ｃ３，Ｃ４，Ｃ５が介在することで、ヒール部Ｈが大きくなり、したがってより幅広い足長バラツキに対応することが可能となる。
【００２５】
いわゆるサイズフリーの靴下１が提供される限り、目数変化領域の数及び筒状領域の数はどのように設定してもよい。例えば、目数変化領域の数及び筒状領域の数を多くすればするほど、幅広い足長範囲に対応できると考えられる。しかしながら、目数変化領域の数及び筒状領域の数が多すぎると、ヒール部Ｈが過度に大きくなるか、又は、目数変化領域及び筒状領域の大きさが過度に小さくなるおそれがある。本発明による実施例では、目数変化領域の数が６つで筒状領域の数が５つである。別の実施例（図示しない）では、目数変化領域の数が８つで筒状領域の数が７つである。
【００２６】
なお、既存の靴下には、例えば「２５−２７ｃｍ」の範囲で、着用者の足長のバラツキに対応しようとするものが知られている。しかしながら、この既存の靴下は、素材の伸縮によって、一定範囲の足長に対応するにすぎない。本発明による実施例のように、靴下の構造ないし編成によって着用者の足長のバラツキに対処するという技術的思想は、これまで存在していない。
【００２７】
ところが、着用者の足長が比較的小さいときには図６（Ａ）に示されるように、ヒール部Ｈのうちレッグ部Ｌに近い部分が着用者のアキレス腱ＷＡＴ周りに到る場合がある。この場合、ヒール部Ｈが着用者のアキレス腱ＷＡＴ周りにたるみが生じるのは、着用感や見た目の観点から、好ましくない。
【００２８】
そこで、本発明による実施例では上述したように、レッグ部Ｌに連結された上方目数変化領域Ｖ１のコース数ＣＶ１が、下方目数変化領域Ｖ６のコース数ＣＶ６及び中間目数変化領域Ｖ２，Ｖ３，Ｖ４，Ｖ５のコース数ＣＶ２，ＣＶ３，ＣＶ４，ＣＶ５よりも小さくされる。その結果、着用者のアキレス腱ＷＡＴ周りにたるみが生じにくくなり、着用者の足長の大小に関わらず、ヒール部Ｈが着用者の足にフィットし続けることができる。
【００２９】
更に、本発明による実施例では上述したように、目数変化領域Ｖ１，Ｖ３，Ｖ５が目数増加領域から構成され、目数変化領域Ｖ２，Ｖ４，Ｖ６が目数減少領域から構成される。言い換えると、編成軸線Ｋに沿って上方から下方に見ると、目数変化領域の目数が増加と減少との間で交互に繰り返され、目数の増加に始まり目数の減少に終わる。その結果、図５に示されるように、第１のゴアラインＧ１と第２のゴアラインＧ２とは互いに離れて位置し、第２のゴアラインＧ２と第３のゴアラインＧ３とは互いに近くに位置し、第３のゴアラインＧ３と第４のゴアラインＧ４とは互いに離れて位置し、第４のゴアラインＧ４と第５のゴアラインＧ５とは互いに近くに位置し、第５のゴアラインＧ５と第６のゴアラインＧ６とは互いに離れて位置する。
【００３０】
一般に、ゴアラインは、その長さ方向の伸縮性が低いことが知られている。このため、図７に示されるように、ヒール部Ｈのうち、編成軸線Ｋ方向に見て、第１のゴアラインＧ１と第２のゴアラインＧ２とにより挟まれた部分、第３のゴアラインＧ３と第４のゴアラインＧ４とにより挟まれた部分、及び、第５のゴアラインＧ５と第６のゴアラインＧ６とにより挟まれた部分には、ゴアラインが形成されていないので、周方向の伸縮性が比較的高い高周方向伸縮性部分ＥＨが形成される。また、ヒール部Ｈのうち、編成軸線Ｋ方向に見て、第２のゴアラインＧ２と第３のゴアラインＧ３とにより挟まれた部分、及び、第４のゴアラインＧ４と第５のゴアラインＧ５とにより挟まれた部分には、２つのゴアラインが互いに近接しているので、周方向の伸縮性が比較的低い低周方向伸縮性部分ＥＬが形成される。この場合、高周方向伸縮性部分ＥＨの面積ないしコース数は、低周方向伸縮性部分ＥＬの面積ないしコース数よりも大きい。
【００３１】
その結果、高周方向伸縮性部分ＥＨにおいて、着用者の踵を確実に包み込むことができ、同時に、低周方向伸縮性部分ＥＬによって、着用者の踵が編成軸線Ｋ方向に靴下１に対し相対移動するのを確実に抑制することができる。言い換えると、着用者の足長の大小に関わらず、靴下１が着用者の踵に、更に確実にフィットし続ける。
【００３２】
なお、本発明による実施例では、ヒール部Ｈに隣接するソール部Ｓの部分の伸縮性が、ソール部Ｓの他の部分、レッグ部Ｌ、ヒール部Ｈ、トウ部Ｔの伸縮性よりも高められている。これによって、靴下１が着用者の足によりフィットし続けることができる。伸縮性の調節は、例えば、編み方や素材を調節することにより行うことができる。
【００３３】
これまで述べてきた本発明による実施例では、目数変化領域は目数増加領域及び目数減少領域から構成される。しかしながら、目数変化領域を目数増減領域から構成することもできる。目数増減領域は、上方から下方に向かうにつれて目数が増加する少なくとも１つの部分と、上方から下方に向かうにつれて目数が減少する少なくとも１つの部分とを含む。目数増減領域の種々の例が図８（Ａ）及び図８（Ｂ）に示される。図８（Ａ）に示される例では、目数変化領域Ｖの目数は、上方から下方に向かうにつれてまず増加し次いで減少する。図８（Ｂ）に示される例では、目数変化領域Ｖの目数は、上方から下方に向かうにつれてまず減少し次いで増加する。なお、図８（Ａ）及び図８（Ｂ）において、Ｘはレッグ部Ｌ又は筒状領域を示しており、Ｙは筒状領域又はソール部Ｓを示している。
【００３４】
また、これまで述べてきた本発明による実施例では、目数変化領域は目数増加領域及び目数減少領域の組み合わせから構成される。しかしながら、目数変化領域を、目数増加領域、目数減少領域、及び、目数増減領域を適宜組み合わせて構成することもできる。一例では、すべての目数変化領域が目数増加領域から構成される。
【００３５】
更に、これまで述べてきた本発明による実施例では、目数変化領域は、交互に配置された目数増加領域及び目数減少領域から構成され、上方目数変化領域が目数増加領域から構成され、下方目数変化領域が目数減少領域から構成される。この場合、ヒール部Ｈには図７に示されるように、３つの高周方向伸縮性部分ＥＨと２つの低周方向伸縮性部分ＥＬとが形成される。別の実施例（図示しない）では、目数変化領域は、交互に配置された目数増加領域及び目数減少領域から構成され、上方目数変化領域が目数減少領域から構成され、下方目数変化領域が目数増加領域から構成される。この場合、ヒール部Ｈには、２つの高周方向伸縮性部分ＥＨと３つの低周方向伸縮性部分ＥＬとが形成される。
【符号の説明】
【００３６】
１    靴下
Ｌ    レッグ部
Ｈ    ヒール部
Ｓ    ソール部
Ｖ１，Ｖ２，Ｖ３，Ｖ４，Ｖ５，Ｖ６    目数変化領域
Ｖ１    上方目数変化領域
Ｖ６    下方目数変化領域
Ｖ２，Ｖ３，Ｖ４，Ｖ５    中間目数変化領域
Ｃ１，Ｃ２，Ｃ３，Ｃ４，Ｃ５    筒状領域
ＣＶ１    上方目数変化領域のコース数
ＣＶ６    下方目数変化領域のコース数
ＣＶ２，ＣＶ３，ＣＶ４，ＣＶ５    中間目数変化領域のコース数
Ｋ    編成軸線
【図１】
2019148020.tif 000003
【図２】
2019148020.tif 000004
【図３】
2019148020.tif 000005
【図４】
2019148020.tif 000006
【図５】
2019148020.tif 000007
【図６】
2019148020.tif 000008
【図７】
2019148020.tif 000009
【図８】
2019148020.tif 000010
【手続補正書】
【提出日】平成30年8月21日(2018.8.21)
【手続補正１】
【補正対象書類名】明細書
【補正対象項目名】００１３
【補正方法】変更
【補正の内容】
【００１３】
詳しく説明すると、本発明による実施例では、特に図３に示されるように、レッグ部Ｌの下縁ＬＬに目数変化領域Ｖ１の上縁Ｖ１Ｕが連結される。第１の目数変化領域Ｖ１の下縁Ｖ１Ｌに第１の筒状領域Ｃ１の上縁Ｃ１Ｕが連結される。第１の筒状領域Ｃ１の下縁Ｃ１Ｌに第２の目数変化領域Ｖ２の上縁Ｖ２Ｕが連結される。第２の目数変化領域Ｖ２の下縁Ｖ２Ｌに第２の筒状領域Ｃ２の上縁Ｃ２Ｕが連結される。第２の筒状領域Ｃ２の下縁Ｃ２Ｌに第３の目数変化領域Ｖ３の上縁Ｖ３Ｕが連結される。第３の目数変化領域Ｖ３の下縁Ｖ３Ｌに第３の筒状領域Ｃ３の上縁Ｃ３Ｕが連結される。第３の筒状領域Ｃ３の下縁Ｃ３Ｌに第４の目数変化領域Ｖ４の上縁Ｖ４Ｕが連結される。第４の目数変化領域Ｖ４の下縁Ｖ４Ｌに第４の筒状領域Ｃ４の上縁Ｃ４Ｕが連結される。第４の筒状領域Ｃ４の下縁Ｃ４Ｌに第５の目数変化領域Ｖ５の上縁Ｖ５Ｕが連結される。第５の目数変化領域Ｖ５の下縁Ｖ５Ｌに第５の筒状領域Ｃ５の上縁Ｃ５Ｕが連結される。第５の筒状領域Ｃ５の下縁Ｃ５Ｌに第６の目数変化領域Ｖ６の上縁Ｖ６Ｕが連結される。第６の目数変化領域Ｖ６の下縁Ｖ６Ｌにソール部Ｓの上縁ＳＵが連結される。
【手続補正２】
【補正対象書類名】明細書
【補正対象項目名】００１４
【補正方法】変更
【補正の内容】
【００１４】
目数変化領域Ｖ１，Ｖ２，Ｖ３，Ｖ４，Ｖ５，Ｖ６は、上方から下方に向かうにつれて目数ないし幅が変化する領域である。本発明による実施例では、第１、第３、及び第５の目数変化領域Ｖ１，Ｖ３，Ｖ５は、上方から下方に向かうにつれて目数が単調増加する目数増加領域から構成される。一方、第２、第４、第６の目数変化領域Ｖ２，Ｖ４，Ｖ６は、上方から下方に向かうにつれて目数が単調減少する目数減少領域から構成される。言い換えると、本発明による実施例では、目数変化領域Ｖ１，Ｖ２，Ｖ３，Ｖ４，Ｖ５，Ｖ６は、編成軸線Ｋに沿って交互に配置された目数増加領域及び目数減少領域から構成され、レッグ部Ｌに連結された第１の目数変化領域Ｖ１は目数増加領域から構成され、ソール部Ｓに連結された第６の目数変化領域Ｖ６は目数減少領域から構成される。
【手続補正３】
【補正対象書類名】明細書
【補正対象項目名】００２２
【補正方法】変更
【補正の内容】
【００２２】
このように、本発明による実施例では、ヒール部Ｈに、複数の目数変化領域Ｖ１，Ｖ２，Ｖ３，Ｖ４，Ｖ５，Ｖ６が編成軸線Ｋに沿いつつ並べて配置される。ここで、一般に、目数変化領域は、ヒール部Ｈを外向きに突出させて（立体化）、着用者の踵を少なくとも部分的に包み込む機能を有する。その結果、着用者の足長が小さいときにも大きいときにも、ヒール部Ｈのいずれかの部分が、着用者の踵を確実に包み込むことが可能となる。
【手続補正４】
【補正対象書類名】明細書
【補正対象項目名】００２８
【補正方法】変更
【補正の内容】
【００２８】
そこで、本発明による実施例では上述したように、レッグ部Ｌに連結された上方目数変化領域Ｖ１のコース数ＣＶ１が、下方目数変化領域Ｖ６のコース数ＣＶ６及び中間目数変化領域Ｖ２，Ｖ３，Ｖ４，Ｖ５のコース数ＣＶ２，ＣＶ３，ＣＶ４，ＣＶ５よりも少なくされる。その結果、着用者のアキレス腱ＷＡＴ周りにたるみが生じにくくなり、着用者の足長の大小に関わらず、ヒール部Ｈが着用者の足にフィットし続けることができる。
【手続補正書】
【提出日】平成30年11月26日(2018.11.26)
【手続補正１】
【補正対象書類名】明細書
【補正対象項目名】００３３
【補正方法】変更
【補正の内容】
【００３３】
これまで述べてきた本発明による実施例では、目数変化領域は目数増加領域及び目数減少領域から構成される。しかしながら、参考例では、目数変化領域を目数増減領域から構成することもできる。目数増減領域は、上方から下方に向かうにつれて目数が増加する少なくとも１つの部分と、上方から下方に向かうにつれて目数が減少する少なくとも１つの部分とを含む。目数増減領域の種々の例が図８（Ａ）及び図８（Ｂ）に示される。図８（Ａ）に示される例では、目数変化領域Ｖの目数は、上方から下方に向かうにつれてまず増加し次いで減少する。図８（Ｂ）に示される例では、目数変化領域Ｖの目数は、上方から下方に向かうにつれてまず減少し次いで増加する。なお、図８（Ａ）及び図８（Ｂ）において、Ｘはレッグ部Ｌ又は筒状領域を示しており、Ｙは筒状領域又はソール部Ｓを示している。
【手続補正２】
【補正対象書類名】明細書
【補正対象項目名】００３４
【補正方法】変更
【補正の内容】
【００３４】
また、これまで述べてきた本発明による実施例では、目数変化領域は目数増加領域及び目数減少領域の組み合わせから構成される。しかしながら、参考例では、目数変化領域を、目数増加領域、目数減少領域、及び、目数増減領域を適宜組み合わせて構成することもできる。一例では、すべての目数変化領域が目数増加領域から構成される。
【手続補正３】
【補正対象書類名】明細書
【補正対象項目名】００３５
【補正方法】変更
【補正の内容】
【００３５】
更に、これまで述べてきた本発明による実施例では、目数変化領域は、交互に配置された目数増加領域及び目数減少領域から構成され、上方目数変化領域が目数増加領域から構成され、下方目数変化領域が目数減少領域から構成される。この場合、ヒール部Ｈには図７に示されるように、３つの高周方向伸縮性部分ＥＨと２つの低周方向伸縮性部分ＥＬとが形成される。別の実施例（図示しない）では、目数変化領域は、交互に配置された目数増加領域及び目数減少領域から構成され、上方目数変化領域が目数減少領域から構成され、下方目数変化領域が目数増加領域から構成される。この場合、ヒール部Ｈには、２つの高周方向伸縮性部分ＥＨと３つの低周方向伸縮性部分ＥＬとが形成される。
本開示は以下を含む。
［構成１］
編成軸線に沿いつつ丸編み又は横編みによって編成される靴下であって、
筒状のレッグ部と、筒状のソール部と、これらレッグ部とソール部との間のヒール部と、を備え、
前記ヒール部が、
前記編成軸線に沿って配置された複数の目数変化領域と、
これら目数変化領域同士の間に配置された複数の筒状領域と、
を備え、
前記目数変化領域が、
前記レッグ部の下縁に連結された上方目数変化領域と、
前記ソール部の上縁に連結された下方目数変化領域と、
前記上方目数変化領域と前記下方目数変化領域との間の複数の中間目数変化領域と、
を含んでおり、
前記上方目数変化領域のコース数が前記下方目数変化領域のコース数及び前記中間目数変化領域のコース数よりも少ない、
靴下。
［構成２］
前記目数変化領域が前記編成軸線に沿って交互に配置された目数増加領域及び目数減少領域から構成される、構成１に記載の靴下。
［構成３］
前記上方目数変化領域が目数増加領域から構成され、前記下方目数変化領域が目数減少領域から構成される、構成２に記載の靴下。
［構成４］
前記目数変化領域の数が６つで前記筒状領域の数が５つであるか又は前記目数変化領域の数が８つで前記筒状領域の数が７つである、構成１から３までのいずれか一項に記載の靴下。
［構成５］
編成軸線に沿いつつ丸編み又は横編みによって編成される靴下であって、
筒状のレッグ部と、筒状のソール部と、これらレッグ部とソール部との間のヒール部と、を備え、
前記ヒール部が、
前記編成軸線に沿って配置された複数の目数変化領域と、
これら目数変化領域同士の間に配置された複数の筒状領域と、
を備え、
前記目数変化領域が、
前記レッグ部の下縁に連結された上方目数変化領域と、
前記ソール部の上縁に連結された下方目数変化領域と、
前記上方目数変化領域と前記下方目数変化領域との間の複数の中間目数変化領域と、
を含んでおり、
前記目数変化領域が前記編成軸線に沿って交互に配置された目数増加領域及び目数減少領域から構成される、
靴下。
［構成６］
編成軸線に沿いつつ丸編み又は横編みによって編成される靴下であって、
筒状のレッグ部と、筒状のソール部と、これらレッグ部とソール部との間のヒール部と、を備え、
前記ヒール部が、
前記編成軸線に沿って配置された複数の目数変化領域と、
これら目数変化領域同士の間に配置された複数の筒状領域と、
を備え、
前記目数変化領域が、
前記レッグ部の下縁に連結された上方目数変化領域と、
前記ソール部の上縁に連結された下方目数変化領域と、
前記上方目数変化領域と前記下方目数変化領域との間の複数の中間目数変化領域と、
を含んでおり、
着用者の足長のバラツキに対応するために、前記目数変化領域の数が６つで前記筒状領域の数が５つであるか又は前記目数変化領域の数が８つで前記筒状領域の数が７つである、
靴下。
【手続補正４】
【補正対象書類名】特許請求の範囲
【補正対象項目名】全文
【補正方法】変更
【補正の内容】
【特許請求の範囲】
【請求項１】
編成軸線に沿いつつ丸編み又は横編みによって編成される靴下であって、
筒状のレッグ部と、筒状のソール部と、これらレッグ部とソール部との間のヒール部と、を備え、
前記ヒール部が、
前記編成軸線に沿って配置された複数の目数変化領域と、
すべての前記目数変化領域同士の間に配置された複数の筒状領域と、
を備え、
前記目数変化領域が、
前記レッグ部の下縁に連結された上方目数変化領域と、
前記ソール部の上縁に連結された下方目数変化領域と、
前記上方目数変化領域と前記下方目数変化領域との間の複数の中間目数変化領域と、
を含んでおり、
前記上方目数変化領域のコース数が前記下方目数変化領域のコース数及び前記中間目数変化領域のコース数よりも少なく、
前記目数変化領域が前記編成軸線に沿って交互に配置された目数増加領域及び目数減少領域から構成され、
前記複数の筒状領域のコース数が前記目数変化領域のコース数よりも少ない、
靴下。
【請求項２】
前記上方目数変化領域が目数増加領域から構成され、前記下方目数変化領域が目数減少領域から構成される、請求項１に記載の靴下。
【請求項３】
前記目数変化領域の数が６つで前記筒状領域の数が５つであるか又は前記目数変化領域の数が８つで前記筒状領域の数が７つである、請求項１又は２に記載の靴下。
【請求項４】
編成軸線に沿いつつ丸編み又は横編みによって編成される靴下であって、
筒状のレッグ部と、筒状のソール部と、これらレッグ部とソール部との間のヒール部と、を備え、
前記ヒール部が、
前記編成軸線に沿って配置された複数の目数変化領域と、
すべての前記目数変化領域同士の間に配置された複数の筒状領域と、
を備え、
前記目数変化領域が、
前記レッグ部の下縁に連結された上方目数変化領域と、
前記ソール部の上縁に連結された下方目数変化領域と、
前記上方目数変化領域と前記下方目数変化領域との間の複数の中間目数変化領域と、
を含んでおり、
前記目数変化領域が前記編成軸線に沿って交互に配置された目数増加領域及び目数減少領域から構成され、
前記複数の筒状領域のコース数が前記目数変化領域のコース数よりも少ない、
靴下。
【請求項５】
前記上方目数変化領域が目数増加領域から構成され、前記下方目数変化領域が目数減少領域から構成される、請求項４に記載の靴下。